(57)【特許請求の範囲】
【請求項１】
接続箱本体と、この接続箱本体に取り付けられる取付体とを備え、前記接続箱本体に前記取付体が取り付けられると互いに嵌合するコネクタが前記接続箱本体と前記取付体との双方に設けられた電気接続箱において、
前記取付体に設けられたロック部と、前記接続箱本体に設けられたロック受け部とを有し、前記ロック部と前記ロック受け部とのうち少なくとも一方が一旦弾性変形することで、前記ロック部と前記ロック受け部とが互いに係合する取付部を、複数備え、
前記取付体を前記接続箱本体に取り付ける際に、前記少なくとも一方が中立状態で、前記ロック部と前記ロック受け部とが互いに接触すると、前記コネクタ同士が嵌合可能となる位置に位置付けられるように、前記ロック部と前記ロック受け部とが設けられ、
前記取付体を前記接続箱本体に取り付ける際に、前記接続箱本体から離間した前記取付体を当該接続箱本体に近づけると、前記複数の取付部のうちの少なくとも一の取付部の前記ロック部と前記ロック受け部とが互いに近接しかつ他の取付部の前記ロック部と前記ロック受け部とが互いに離れた状態で前記接続箱本体に前記取付体を位置決めするとともに、前記他の取付部の前記ロック部と前記ロック受け部とが互いに近づくのにしたがって前記コネクタ同士が嵌合可能となる位置に向かうように、前記接続箱本体に対して前記取付体を案内する第２案内部を備え、
前記第２案内部が、前記一の取付部の近傍に設けられ、前記接続箱本体に前記取付体が近づくのにしたがって前記一の取付部に向けて案内するテーパー壁を有して構成されていることを特徴とする電気接続箱。
【請求項２】
前記取付体を前記接続箱本体に取り付ける際に、前記コネクタ同士が嵌合可能となる位置を保ったまま、前記接続箱本体に前記取付体が近づくように案内する案内部を備えたことを特徴とする請求項１記載の電気接続箱。
【発明の詳細な説明】
【技術分野】
【０００１】
本発明は、車輌等に搭載される電気接続箱に関し、詳しくは、接続箱本体と当該接続箱本体に取り付けられるＥＣＵなどの取付体とを備えた電気接続箱に関する。
【背景技術】
【０００２】
自動車などに搭載される電気接続箱（ジャンクションブロックとも言う。）として、例えば、ヒューズやリレー等の複数の電気部品をハウジング内に収容した接続箱本体と、前記複数の電子部品を制御する制御回路を有した取付体としての電子制御ユニット（以下、ＥＣＵという）と、を備えたものが知られている（例えば、特許文献１参照）。
【０００３】
前述した特許文献１に示された電気接続箱では、接続箱本体に前記ＥＣＵを取り付けるための凹みを設け、当該接続箱本体の凹みの底面とＥＣＵの外表面との双方に互いに嵌合するコネクタを設けて、前記した電気部品と制御回路とを互いに接続するようになっている。また、前述した特許文献１に示された電気接続箱では、ＥＣＵの一つの外縁を中心として回転することで、当該ＥＣＵが接続箱本体に接離するように、これらを案内する案内部を設けている。
【先行技術文献】
【特許文献】
【０００４】
【特許文献１】特開２００８−１７２８９２号公報
【発明の概要】
【発明が解決しようとする課題】
【０００５】
前述した電気接続箱即ち接続箱本体やＥＣＵはより小型であることが求められている。前述した特許文献１に示された電気接続箱は、案内部がＥＣＵの一つの外縁を中心として当該ＥＣＵを回転させることで、当該ＥＣＵを接続箱本体に近づけて、このＥＣＵを接続箱本体に取り付けている。このため、前述した特許文献１に示された電気接続箱では、ＥＣＵが小型化されると、ＥＣＵを接続箱本体に近づける際のＥＣＵに設けられたコネクタの回転半径も小さくなって、案内部によりＥＣＵを接続箱本体に近づけても、コネクタ同士を嵌合させることが困難となってしまう。
【０００６】
したがって、本発明の目的は、取付体の小型化を図っても、接続箱本体と取付体との双方に設けられたコネクタ同士を確実に嵌合させることができる電気接続箱を提供することにある。
【課題を解決するための手段】
【０００７】
上記目的を達成するために、請求項１に記載された本発明の電気接続箱は、接続箱本体と、この接続箱本体に取り付けられる取付体とを備え、前記接続箱本体に前記取付体が取り付けられると互いに嵌合するコネクタが前記接続箱本体と前記取付体との双方に設けられた電気接続箱において、前記取付体に設けられたロック部と、前記接続箱本体に設けられたロック受け部とを有し、前記ロック部と前記ロック受け部とのうち少なくとも一方が一旦弾性変形することで、前記ロック部と前記ロック受け部とが互いに係合する取付部を、複数備え、前記取付体を前記接続箱本体に取り付ける際に、前記少なくとも一方が中立状態で、前記ロック部と前記ロック受け部とが互いに接触すると、前記コネクタ同士が嵌合可能となる位置に位置付けられるように、前記ロック部と前記ロック受け部とが設けられ、前記取付体を前記接続箱本体に取り付ける際に、前記接続箱本体から離間した前記取付体を当該接続箱本体に近づけると、前記複数の取付部のうちの少なくとも一の取付部の前記ロック部と前記ロック受け部とが互いに近接しかつ他の取付部の前記ロック部と前記ロック受け部とが互いに離れた状態で前記接続箱本体に前記取付体を位置決めするとともに、前記他の取付部の前記ロック部と前記ロック受け部とが互いに近づくのにしたがって前記コネクタ同士が嵌合可能となる位置に向かうように、前記接続箱本体に対して前記取付体を案内する第２案内部を備え、前記第２案内部が、前記一の取付部の近傍に設けられ、前記接続箱本体に前記取付体が近づくのにしたがって前記一の取付部に向けて案内するテーパー壁を有して構成されていることを特徴としている。
【０００８】
請求項２に記載された本発明の電気接続箱は、請求項１に記載された電気接続箱において、前記取付体を前記接続箱本体に取り付ける際に、前記コネクタ同士が嵌合可能となる位置を保ったまま、前記接続箱本体に前記取付体が近づくように案内する案内部を備えたことを特徴としている。
【発明の効果】
【００１０】
請求項１に記載された本発明は、複数の取付部のロック部とロック受け部とが、中立状態で互いに接触すると接続箱本体と取付体との相対的な位置をこれらに設けられたコネクタ同士が嵌合可能となる位置に設けられている。このために、接続箱本体に取付体を取り付ける際に、各取付部のロック部とロック受け部とが互いに接触した状態で、接続箱本体に取付体を近づけることにより、コネクタ同士を確実に嵌合させることができる。よって、取付体を接続箱本体に対して相対的に回転させることなく、コネクタ同士を確実に嵌合させることができる状態で、当該接続箱本体に取付体を取り付けることができる。よって、取付体の小型化を図っても、接続箱本体に取付体を取り付ける際に、接続箱本体と取付体との双方に設けられたコネクタ同士を確実に嵌合させることができる。また、第２案内部が、一つの取付部のロック部とロック受け部とが互いに近接した状態から他の取付部のロック部とロック受け部とが互いに近づくように、接続箱本体と取付体とを案内する。このために、一つの取付部のロック部とロック受け部とが互いに近接するように、接続箱本体に取付体を近づけることで、当該接続箱本体に取付体を取り付けることができる。よって、接続箱本体に取付体を容易に取り付けることができる。
【００１１】
請求項２に記載された本発明は、各取付部のロック部とロック受け部とが互いに接触してから、案内部によりコネクタ同士が嵌合可能となる状態で、接続箱本体に取付体を近づけることができる。よって、取付体の小型化を図っても、接続箱本体に取付体を取り付ける際に、接続箱本体と取付体との双方に設けられたコネクタ同士をより確実に嵌合させることができる。
【図面の簡単な説明】
【００１３】
【図１】本発明の一実施形態にかかる電気接続箱を示す斜視図である。
【図２】図１に示された電気接続箱を分解して示す斜視図である。
【図３】図２中のＩＩＩ部で囲んだ部分を拡大して示す斜視図である。
【図４】図２中のＩＶ部で囲んだ部分を拡大して示す斜視図である。
【図５】図２に示された電気接続箱の接続箱本体にＥＣＵを近づける状態を示す斜視図である。
【図６】図５中のＶＩ−ＶＩ線に沿う断面図である。
【図７】図５に示された電気接続箱の接続箱本体設けられたテーパ壁にＥＣＵの案内壁を重ねた状態を示す斜視図である。
【図８】図７中のＶＩＩＩ−ＶＩＩＩ線に沿う断面図である。
【図９】図７に示された電気接続箱の接続箱本体にＥＣＵを近づけた状態を示す斜視図である。
【図１０】図９中のＸ−Ｘ線に沿う断面図である。
【図１１】図１０中のＸＩ部を拡大して示す断面図である。
【図１２】図９に示された電気接続箱の接続箱本体にＥＣＵを更に近づけた状態を示す斜視図である。
【図１３】図１２中のＸＩＩＩ−ＸＩＩＩ線に沿う断面図である。
【図１４】図１３中のＸＩＶ部を拡大して示す断面図である。
【図１５】図１２に示された電気接続箱の接続箱本体にＥＣＵを更に近づけた状態を示す斜視図である。
【図１６】図１５中のＸＶＩ−ＸＶＩ線に沿う断面図である。
【図１７】図１６中のＸＶＩＩ部を拡大して示す断面図である。
【図１８】図１５に示された電気接続箱の接続箱本体にＥＣＵを更に近づけた状態を示す斜視図である。
【図１９】図１８中のＸＩＸ−ＸＩＸ線に沿う断面図である。
【図２０】図１９中のＸＸ−ＸＸ線に沿う断面図である。
【図２１】図１中のＸＸＩ−ＸＸＩ線に沿う断面図である。
【図２２】図１中の矢印ＸＸＩＩ方向から見た側面図である。
【発明を実施するための形態】
【００１４】
以下、本発明の一実施の形態に係る電気接続箱を、図１ないし図２２に基づいて説明する。本実施形態に係る電気接続箱１は、自動車の車体を構成するパネルなどに固定され、この自動車に搭載される多種多様な電子機器同士を予め定められたパターンにしたがって電気的に接続するものである。
【００１５】
上記電気接続箱１は、図１及び図２に示すように、接続箱本体２と、この接続箱本体２に取り付けられる取付体としての電子制御ユニット（以下、ＥＣＵと称す。なお、ＥＣＵとは、Engine Control Unitの略である。）３と、取付部４と、取付部としての第２取付部５と、複数の案内部６と、複数の第２案内部７とを備えている。
【００１６】
上記接続箱本体２は、絶縁性の合成樹脂で構成されたハウジング８と、このハウジング８内に収容されかつヒューズやリレーなどの電気部品が実装された図示しない印刷配線板と、コネクタ９（図１９に示す）とを備えている。
【００１７】
ハウジング８は、互いに間隔をあけて平行でかつ略正方形の一対の取付壁１０と、これら一対の取付壁１０同士を連結しかつ当該取付壁１０よりも幅の狭い長方形状の四つの側壁１１とを備えて、扁平な箱状に形成されている。また、一対の取付壁１０のうち図１及び図２中手前側の取付壁１０には、ＥＣＵ３を収容するための凹み１２が設けられている。図示例では、凹み１２は、取付壁１０の図１中の上側の約半分に設けられている。凹み１２の底壁１３は、取付壁１０と平行に設けられている。コネクタ９は、図１９に示すように、筒状のハウジング部１４と、複数の端子１５とを備えている。ハウジング部１４は、底壁１３の表面に対して直交する方向に沿って、当該底壁１３から立設している。端子１５は、導電性の金属で構成されて、棒状に形成されている。端子１５は、一端部が印刷配線板に取り付けられ、他端部がハウジング部１４内に位置付けられている。端子１５の長手方向は、底壁１３の表面に対して直交している。
【００１８】
ＥＣＵ３は、図１及び図２に示すように、絶縁性の合成樹脂で構成されたハウジング１６と、このハウジング１６に収容され且つ各種の電子部品が実装された図示しない印刷配線板と、コネクタ１７（図１９に示す）と、ハーネス用コネクタ１８とを備えている。
【００１９】
ハウジング１６は、前記凹み１２内に収容可能な扁平な箱状に形成されている。ハウジング１６は、後述する取付部４，５により凹み１２内に収容された格好でＥＣＵ３が接続箱本体２に取り付けられると、凹み１２の底壁１３に重なる重なり壁１９（図２に示す）と、図２２に示すように前記凹み１２が設けられた取付壁１０と面一となる面一壁２０と、これらの重なり壁１９と面一壁２０とに連なる四つの側壁２１とを備えている。なお、重なり壁１９と面一壁２０とは、互いに間隔をあけて平行でかつ平面形状が等しく形成されている。
【００２０】
コネクタ１７は、図１９に示すように、筒状のハウジング部２２と、複数の図示しない端子とを備えている。ハウジング部２２は、前記重なり壁１９を貫通した孔２４内に設けられ、当該重なり壁１９の表面に対して直交する方向に沿っている。端子は、導電性の金属で構成されて、ハウジング１６内の印刷配線板に取り付けられた基板接続部と、この基板接続部に連なりかつ前記端子１５を挟む挟持部とを一体に備えている。挟持部は、ハウジング部２２内に収容されている。
【００２１】
コネクタ１７は、ハウジング部２２がハウジング部１４内に侵入しかつ、端子の挟持部が端子１５を挟み込んで、前述したコネクタ９と嵌合する。コネクタ９，１７は、ハウジング部１４，２２の内面が互いに平行な状態で、互いに近づけられて、互いに嵌合する。このため、図１９に示すように、ハウジング部１４の内面がハウジング部２２の外面と略面一となる位置を、コネクタ９，１７同士が嵌合可能となる位置という。
【００２２】
ハーネス用コネクタ１８は、前記側壁２１を貫通した孔内に設けられた筒状のハウジング部２３と、当該ハウジング部２３内に設けられかつ印刷配線板に接続された図示しない端子とを備えている。ハーネス用コネクタ１８は、前記自動車に配索されるワイヤハーネスのコネクタが嵌合する。
【００２３】
取付部４は、本実施形態では、一つのみ設けられている。取付部４は、図２に示すように、受け部２５と、ロック部としてのロックアーム２６とを備えている。
【００２４】
受け部２５は、筒状部２７と、ロック受け部としての本体側ロックアーム２８とを備えている。筒状部２７は、接続箱本体２の図２中上側に位置する（即ち、凹み１２の縁寄りの）側壁１１上に一体に設けられている。筒状部２７は、側壁１１の中央に設けられかつ当該側壁１１の外面から凸となる状態で設けられている。また、筒状部２７は、凹み１２の開口部１２ａ側が開口した筒状に形成されている。本体側ロックアーム２８は、筒状部２７内に収容されている。本体側ロックアーム２８は、その長手方向が筒状部２７の長手方向即ち取付壁１０の表面に対して直交するアーム本体２９と、当該アーム本体２９の長手方向の中央に設けられたロック突起３０とを一体に備えている。アーム本体２９は、凹み１２の開口部１２ａ寄り即ち底壁１３から離れた側の一端部が側壁１１の外面に連なりかつ底壁１３寄りの他端部が自由端の片持ち梁状に形成されている。アーム本体２９即ち本体側ロックアーム２８は、前記他端部が側壁１１に対して接離するように弾性変形自在となっている。ロック突起３０は、アーム本体２９から接続箱本体２の外側に向かって凸に形成されている。なお、ロック突起３０の底壁１３から離れた側の面３０ａは、前記底壁１３から離れるのにしたがって徐々にアーム本体２９に近づく方向に前記底壁１３の表面及び当該底壁１３の表面に対して直交する方向との双方に対して傾斜している。ロック突起３０の底壁１３寄り面３０ｂは、前記底壁１３の表面と平行となっている。
【００２５】
ロックアーム２６は、ＥＣＵ３の図２中上側に位置する側壁２１の中央に設けられている。ロックアーム２６は、互いに平行な一対の平行梁３１と、当該平行梁３１同士を連結した連結梁３２とを一体に備えている。平行梁３１は、側壁２１の長手方向に沿って互いに間隔をあけて設けられ、かつ側壁２１の接続箱本体２から離れた側の端から側壁２１に対して直交する方向に沿って外方向に立設した立設部３３と、この立設部３３の先端から側壁２１と平行に接続箱本体２に向かって延在した延在部３４とを備えている。連結梁３２は、棒状に形成されかつ延在部３４の立設部から離れた側の端同士即ち平行梁３１の接続箱本体２寄りの端同士を連結している。連結梁３２の接続箱本体２寄りの面３２ａは、接続箱本体２に近づくのにしたがって即ち筒状部２７の奥に向かうにしたがって徐々に側壁２１から離れるように、前記側壁２１の表面と側壁２１の表面に対して直交する方向との双方に対して傾斜している。連結梁３２の接続箱本体２から離れた側の面３２ｂは、側壁２１の表面に対して直交する方向と平行である。平行梁３１即ちロックアーム２６は、連結梁３２が側壁２１に対して接離するように弾性変形自在となっている。
【００２６】
前述した取付部４は、ロックアーム２６が筒状部２７内に侵入しかつロックアーム２６，２８が弾性変形していない中立状態で、連結梁３２がロック突起３０上に重なる。この状態で、連結梁３２がロック突起３０上を乗り越えようとすると、面３０ａ，３２ａが前述したように傾斜しているので、本体側ロックアーム２８のアーム本体２９が他端部が側壁１１に近づくように一旦弾性変形し、ロックアーム２６の平行梁３１が連結梁３２が側壁２１から離れるように一旦弾性変形する。そして、前述した取付部４は、連結梁３２がロック突起３０を乗り越えると、アーム本体２９及び平行梁３１が弾性復元力により中立状態に復帰して、前述した面３０ｂ，３２ｂ同士が密に重なる。こうして、取付部４は、ロックアーム２６と本体側ロックアーム２８とが互いに係合することとなる。なお、この取付部４は、特許請求の範囲に記載された少なくとも一の取付部をなしている。
【００２７】
第２取付部５は、本実施形態では、二つ設けられている。第２取付部５は、図２に示すように、ロック受け部３５と、ロック部３６とを備えている。
【００２８】
ロック受け部３５は、図４に示すように、接続箱本体２の凹み１２の底壁１３の図２中下方に位置する端部の幅方向の縁部から立設した立設壁３７に一体に設けられたアーム３８と、当該アーム３８の中央部に設けられた突起３９とを備えている。
【００２９】
アーム３８は、その長手方向が底壁１３の表面に対して直交しているとともに、底壁１３から離れた側の一端部が立設壁３７に連なりかつ底壁１３寄りの他端部が自由端の片持ち梁状に形成されている。アーム３８は、他端部が立設壁３７に没する方向に弾性変形自在となっている。突起３９は、アーム３８の中央部から接続箱本体２の外側に向かって凸に設けられている。突起３９は、アーム３８の長手方向の中央が最もアーム３８から突出して、その表面が曲面状に形成されている。
【００３０】
ロック部３６は、図３に示すように、ＥＣＵ３の図２中下方に位置する側壁２１の両端部から当該ＥＣＵ３の外方向に突出した突出壁４０と、前記突出壁４０に設けられた突起４１とを備えている。突出壁４０は、前記重なり壁１９及び面一壁２０の表面に対して直交する方向に直線状に延在している。突起４１は、突出壁４０の表面からＥＣＵ３の幅方向の内側に向かって凸に設けられている。突起４１は、その中央が最も突出壁４０から突出して、その表面が曲面状に形成されている。
【００３１】
前述した第２取付部５は、突出壁４０が立設壁３７に間隔をあけて重なり、ロック受け部３５のアーム３８が弾性変形していない中立状態で、ロック受け部３５の突起３９とロック部３６の突起４１とが互いに接触する。この状態で、突起３９，４１が互いに乗り越えようとすると、突起３９，４１の表面が曲面状に形成されているので、ロック受け部３５のアーム３８が立設壁３７に没するように一旦弾性変形する。そして、前述した第２取付部５は、突起３９，４１が互いに乗り越えると、アーム３８が弾性復元力により中立状態に復帰して、前述した突起３９，４１同士が密に接触する。こうして、第２取付部５は、ロック部３６とロック受け部３５とが互いに係合することとなる。なお、第２取付部５は、特許請求の範囲に記載された他の取付部をなしている。
【００３２】
また、本実施形態の電気接続箱１では、取付部４のロックアーム２６が筒状部２７内に侵入しかつロックアーム２６，２８が弾性変形していない中立状態で連結梁３２がロック突起３０上に重なり、かつ、第２取付部５の突出壁４０が立設壁３７に間隔をあけて重なりロック受け部３５のアーム３８が弾性変形していない中立状態でロック受け部３５の突起３９とロック部３６の突起４１とが互いに接触すると、図１９に示すように、底壁１３と重なり壁１９とが互いに間隔をあけて平行となり、コネクタ９，１７が互いに嵌合可能となる位置に位置付けられる。こうして、本実施形態の電気接続箱１は、取付部４のロックアーム２６が筒状部２７内に侵入しかつロックアーム２６，２８が弾性変形していない中立状態で連結梁３２がロック突起３０上に重なり、かつ、第２取付部５の突出壁４０が立設壁３７に間隔をあけて重なりロック受け部３５のアーム３８が弾性変形していない中立状態でロック受け部３５の突起３９とロック部３６の突起４１とが互いに接触すると、コネクタ９，１７が互いに嵌合可能となる位置に位置付けられるように、前記取付部４，５のロックアーム２６，２８とロック部３６とロック受け部３５とが設けられている。
【００３３】
案内部６は、図示例では、四つ設けられている。案内部６は、ＥＣＵ３のハウジング１６の各隅に設けられた案内壁４２と、ハウジング８の側壁１１の凹み１２に望む内面でかつ当該凹み１２の各隅に設けられたガイド溝４３とを備えている。案内壁４２は、それぞれ、重なり壁１９及び面一壁２０の表面に対して直交する方向に沿って直線状に延在している。案内壁４２は、側壁２１の前述した取付部４が設けられた側壁２１寄りの縁からＥＣＵ３の幅方向に突出したものと、突出壁４０のハウジング１６から離れた側の先端からＥＣＵ３の幅方向に突出したものとが設けられている。ガイド溝４３は、側壁１１の内面から凹に形成されており、凹み１２の底壁１３に対して直交する方向に延在している。ガイド溝４３は、その内側に案内壁４２を位置付ける。ガイド溝４３は、その長手方向に案内壁４２が移動するように案内する。
【００３４】
前述した構成の案内部６は、取付部４のロックアーム２６が筒状部２７内に侵入しかつロックアーム２６，２８が弾性変形していない中立状態で連結梁３２がロック突起３０上に重なり、かつ、ロック受け部３５のアーム３８が弾性変形していない中立状態でロック受け部３５の突起３９とロック部３６の突起４１とが互いに接触すると、図１９に示すように、案内壁４２をガイド溝４３内に位置付ける。そして、案内部６は、ガイド溝４３の長手方向に案内壁４２を案内することで、コネクタ９，１７同士が嵌合可能となる位置を保ったまま、接続箱本体２の凹み１２の底壁１３にＥＣＵ３の重なり壁１９が近づくように案内する。
【００３５】
第２案内部７は、図示例では、二つ設けられている。第２案内部７は、案内部６の四つのガイド溝４３のうちの図２中接続箱本体２の中央寄りの二つのガイド溝４３の図２中手前側の取付壁１０寄りの縁部に設けられたテーパ壁４４を備えている。テーパ壁４４は、ガイド溝４３から図２中手前側の取付壁１０に向かうにしたがって徐々に取付部４から離れる方向即ち凹み１２の開口部１２ａを徐々に広げる方向に、底壁１３の表面と当該表面に対して直交する方向との双方に対して傾斜している。テーパ壁４４は、その表面上に案内壁４２を位置付ける。
【００３６】
第２案内部７は、接続箱本体２から離間したＥＣＵ３を当該接続箱本体２に近づけると、テーパ壁４４上に案内壁４２を位置付けることで、複数の取付部４，５のうちの第２取付部５のロック部３６とロック受け部３５とを互いに近接させかつ取付部４のロック部３６とロック受け部３５とを互いに離れた状態で、接続箱本体２にＥＣＵ３を位置決めする。そして、第２案内部７は、取付部４のロックアーム２６と本体側ロックアーム２８とが互いに近づくのにしたがって、テーパ壁４４上に案内壁４２を案内するごとで、コネクタ９，１７同士が嵌合可能となる位置に向かって、接続箱本体２に対してＥＣＵ３を案内する。
【００３７】
前述した構成の電気接続箱１は、以下に示すように、接続箱本体２にＥＣＵ３が取り付けられる。
【００３８】
まず、図５及び図６に示すように、重なり壁１９が凹み１２の底壁１３に相対し、突出壁４０から突出した案内壁４２がテーパ壁４４に近づくように、ＥＣＵ３を凹み１２内即ち接続箱本体２に近づける。そして、図７及び図８に示すように、前述した突出壁４０から突出した案内壁４２をテーパ壁４４に重なる。このよう状態では、第２取付部５のロック部３６とロック受け部３５とが互いに近接し、かつ取付部４のロックアーム２６と本体側ロックアーム２８とが互いに離間している。こうして、第２案内部７のテーパ壁４４は、ＥＣＵ３を接続箱本体２に取り付ける際に、接続箱本体２から離間したＥＣＵ３を当該接続箱本体２に近づけると、第２取付部５の前記ロック部３６と前記ロック受け部３５とが互いに近接しかつ取付部４のロックアーム２６と本体側ロックアーム２８とが互いに離れた状態で、接続箱本体２にＥＣＵ３を位置決めする。
【００３９】
そして、当該テーパ壁４４上に重なった案内壁４２を中心として、重なり壁１９が凹み１２の底壁１３に近づくように、接続箱本体２に対してＥＣＵ３を回転する。図９に示すように、重なり壁１９が凹み１２の底壁１３に近づくのにしたがって、図１０及び図１１に示すように、前述した突出壁４０から突出した案内壁４２がテーパ壁４４上を摺動する。そして、図１１に示すように、テーパ壁４４上を摺動した案内壁４２がガイド溝４３内に侵入する。こうして、第２案内部７のテーパ壁４４は、取付部４のロックアーム２６と本体側ロックアーム２８とが互いに近づくのにしたがってコネクタ９，１７同士が嵌合可能となる位置に向かうように、接続箱本体２に対してＥＣＵ３を案内する。
【００４０】
さらに、図１２に示すように、取付部４のロックアーム２６と本体側ロックアーム２８とが互いに近づくように、接続箱本体２に対してＥＣＵ３を回転していくと、図１３及び図１４に示すように、側壁２１から突出した案内壁４２がガイド溝４３内に侵入する。さらに、図１５に示すように、接続箱本体２に対してＥＣＵ３を回転していくと、図１６及び図１７に示すように、取付部４のロックアーム２６が筒状部２７内に侵入する。
【００４１】
さらに、図１８に示すように、接続箱本体２に対してＥＣＵ３を回転していくと、図１９に示すように、ロックアーム２６と本体側ロックアーム２８とが弾性変形していない中立状態で、ロック突起３０と連結梁３２とが互いに接触する。また、図２０に示すように、第２取付部５のアーム３８が弾性変形していない中立状態で、突起３９，４１が互いに接触する。すると、図１９に示すように、コネクタ９，１７が互いに嵌合可能となる位置に、接続箱本体２とＥＣＵ３とが位置付けられる。こうして、取付部４のロックアーム２６，２８及び第２取付部５のロック部３６とロック受け部３５は、ＥＣＵ３を接続箱本体２に取り付ける際に、ロックアーム２６，２８及びアーム３８が弾性変形していない中立状態で、ロックアーム２６，２８同士およびロック部３６とロック受け部３５が互いに接触すると、コネクタ９，１７同士が嵌合可能となる位置に接続箱本体２とＥＣＵ３とが位置付けられるように、設けられている。
【００４２】
そして、接続箱本体２にＥＣＵ３を更に近づけると、案内壁４２がガイド溝４３内を摺動して、コネクタ９，１７同士が嵌合可能な位置を保ったまま、当該ＥＣＵ３が接続箱本体２に近づく。こうして、案内部６は、ＥＣＵ３を接続箱本体２に取り付ける際に、コネクタ９，１７同士が嵌合可能となる位置を保ったまま、接続箱本体２にＥＣＵ３が近づくように、これら接続箱本体２及びＥＣＵ３を案内する。そして、ロックアーム２６，２８が一旦弾性変形して、連結梁３２がロック突起３０を乗り越えた後、図２１に示すように、取付部４のロックアーム２６，２８が互いに係合するとともに、アーム３８が一旦弾性変形して、突起３９，４１が互いに乗り越えた後、これらが互いに係合する。こうして、接続箱本体２にＥＣＵ３が取り付けられて、これらに設けられたコネクタ９，１７が互いに嵌合する。
【００４３】
本実施形態によれば、取付部４のロックアーム２６と本体側ロックアーム２８とが中立状態で互いに接触し、第２取付部５のロック部３６とロック受け部３５とが中立状態で互いに接触すると接続箱本体２とＥＣＵ３との相対的な位置をこれらに設けられたコネクタ９，１７同士が嵌合可能となる位置に設けられている。このために、接続箱本体２にＥＣＵ３を取り付ける際に、各取付部４，５のロックアーム２６，２８、ロック部３６とロック受け部３５とが互いに接触した状態で、接続箱本体２にＥＣＵ３を近づけることにより、コネクタ９，１７同士を確実に嵌合させることができる。よって、ＥＣＵ３を接続箱本体２に対して相対的に回転させることなく、コネクタ９，１７同士を確実に嵌合させることができる状態で、当該接続箱本体２にＥＣＵ３を取り付けることができる。よって、ＥＣＵ３の小型化を図っても、接続箱本体２にＥＣＵ３を取り付ける際に、接続箱本体２とＥＣＵ３との双方に設けられたコネクタ９，１７同士を確実に嵌合させることができる。
【００４４】
また、取付部４のロックアーム２６と本体側ロックアーム２８とが中立状態で互いに接触し第２取付部５のロック部３６とロック受け部３５とが中立状態で互いに接触してから、案内部６によりコネクタ９，１７同士が嵌合可能となる状態で、接続箱本体２にＥＣＵ３を近づけることができる。よって、ＥＣＵ３の小型化を図っても、接続箱本体２にＥＣＵ３を取り付ける際に、接続箱本体２とＥＣＵ３との双方に設けられたコネクタ９，１７同士をより確実に嵌合させることができる。
【００４５】
さらに、第２案内部７が、第２取付部５のロック部３６とロック受け部３５とが互いに近接した状態から取付部４のロックアーム２６と本体側ロックアーム２８とが互いに近づくように、接続箱本体２とＥＣＵ３とを案内する。このために、第２取付部５のロック部３６とロック受け部３５とが互いに近接するように、接続箱本体２にＥＣＵ３を近づけることで、当該接続箱本体２にＥＣＵ３を取り付けることができる。よって、接続箱本体２にＥＣＵ３を容易に取り付けることができる。
【００４６】
なお、前述した実施形態は、本発明の代表的な形態を示したに過ぎず、本発明は、実施形態に限定されるものではない。即ち、本発明の骨子を逸脱しない範囲で種々変形して実施することができる。例えば、前述した実施形態では、取付部４を一つのみ設け、第２取付部５を二つ設けたが、本発明はこれに限定しなくてもよく、取付部４と第２取付部５とを合わせて二つ以上設ければよい。さらに、ロック部とロック受け部との双方を一旦弾性変形させてもよく、これらのうち一方を一旦弾性変形させて、互いに係合させるようにすればよい。
【符号の説明】
【００４７】
１  電気接続箱
２  接続箱本体
３  ＥＣＵ（取付体）
４  取付部（他の取付部）
５  第２取付部（一の取付部）
６  案内部
７  第２案内部
９，１７  コネクタ
２６  ロックアーム（ロック部）
２８  本体側ロックアーム（ロック受け部）
３５  ロック受け部
３６  ロック部
【図１】
0005710280.tif 000002
【図２】
0005710280.tif 000003
【図３】
0005710280.tif 000004
【図４】
0005710280.tif 000005
【図５】
0005710280.tif 000006
【図６】
0005710280.tif 000007
【図７】
0005710280.tif 000008
【図８】
0005710280.tif 000009
【図９】
0005710280.tif 000010
【図１０】
0005710280.tif 000011
【図１１】
0005710280.tif 000012
【図１２】
0005710280.tif 000013
【図１３】
0005710280.tif 000014
【図１４】
0005710280.tif 000015
【図１５】
0005710280.tif 000016
【図１６】
0005710280.tif 000017
【図１７】
0005710280.tif 000018
【図１８】
0005710280.tif 000019
【図１９】
0005710280.tif 000020
【図２０】
0005710280.tif 000021
【図２１】
0005710280.tif 000022
【図２２】
0005710280.tif 000023